(57)【要約】【課題】フェイスマスクの構成部分を別々に収容し、顔に使用する際に、そのまま当該構成部分同士を接触させることで皮膚への刺激を避けることに適したフェイスマスク用の包装体、さらには、使用が容易で、かつ品質保持期間が比較的長い、フェイスマスク用の包装体を提供することである。【解決手段】フェイスマスク用の包装体１００は、活性化用の液体２１を含む第一区画室２２および吸収体２３を含む第二区画室２４を有して蓋３０でシールされた収容容器２０と、包装体１００の開封前に第一区画室２２と第二区画室２４との間を連通させることで活性化用の液体２１が吸収体２３に注入されるように作動させる作動手段３２とを備える。【選択図】図１
0003183351.tif 000002
【実用新案登録請求の範囲】
【請求項１】
フェイスマスク用の包装体（１００）であって、
活性化用の液体（２１）を含む第一区画室（２２）および吸収体（２３）を含む第二区画室（２４）を有し、蓋（３０）でシールされた収容容器（２０）と、当該包装体（１００）の開封前に、前記第一区画室（２２）と前記第二区画室（２４）との間を連通させることで前記活性化用の液体（２１）が前記吸収体（２３）に注入するように作動させる作動手段（３２）と、を備える、フェイスマスク用の包装体（１００）。
【請求項２】
請求項１に記載のフェイスマスク用の包装体（１００）において、前記活性用の液体（２１）がコラーゲン活性化用の液体であり、前記吸収体（２３）がコラーゲンベースの吸収体である、フェイスマスク用の包装体（１００）。
【請求項３】
請求項１または２に記載のフェイスマスク用の包装体（１００）において、前記作動手段な手段（３２）が、前記第一区画室（２２）と前記第二区画室（２４）との間に設けられた、前記収容容器（２０）に対する前記蓋（３０）における破断可能なシール部を含む、フェイスマスク用の包装体（１００）。
【請求項４】
請求項１に記載のフェイスマスク用の包装体（１００）において、前記蓋（３０）が、当該包装体（１００）の周縁に設けられた比較的強力なシール部（３１）によって前記収容容器（２０）にシールされている、フェイスマスク用の包装体（１００）。
【請求項５】
請求項１に記載のフェイスマスク用の包装体（１００）において、前記作動手段（３２）が、前記第一区画室（２２）と前記第二区画室（２４）との間の脆弱な壁部材を含む、フェイスマスク用の包装体（１００）。
【請求項６】
請求項１に記載のフェイスマスク用の包装体（１００）において、前記蓋（３０）に、当該包装体（１００）の開封を容易に行うのに適した開封突片（３３）が設けられている、フェイスマスク用の包装体（１００）。
【請求項７】
請求項１に記載のフェイスマスク用の包装体（１００）において、前記蓋（３０）がプラスチック材料のフィルムからなり、前記収容容器（２０）がプラスチック材料の型成形体からなる、フェイスマスク用の包装体（１００）。
【請求項８】
請求項２に記載のフェイスマスク用の包装体（１００）において、前記コラーゲン活性化用の液体（２１）が、保湿剤、抗老化剤およびこれらの組合せから選択される活性剤を含む液体である、フェイスマスク用の包装体（１００）。
【請求項９】
請求項２に記載のフェイスマスク用の包装体（１００）において、前記コラーゲンベースの吸収体（２３）がパウダー状である、フェイスマスク用の包装体（１００）。
【請求項１０】
請求項２に記載のフェイスマスク用の包装体（１００）において、前記コラーゲンベースの吸収体（２３）は、凍結乾燥コラーゲンの層が設けられた、布帛材料のシート状である、フェイスマスク用の包装体（１００）。
【考案の詳細な説明】
【技術分野】
【０００１】
本考案は、概して皮膚の美容品用の包装体に関する。本考案は、特にコラーゲンフェイスマスク等のフェイスマスク用の包装体に関する。
【背景技術】
【０００２】
皮膚は、老化とともにコラーゲンが減少する。コラーゲンは、体内の総タンパク質の１／４ないし３５％を占め、結合組織の大部分を構成するタンパク質である。そのため、コラーゲンは、人体を構成させる「接着剤」とも称されている。人は、年齢とともに体内のコラーゲンが減少し始める。このような減少する過程は、通常、２５歳前後から始まる。
【０００３】
コラーゲンの不足を補う目的で、特に、顔に対する局所的なコラーゲンベースのフェイスマスクが使用されている。これにより、失われたコラーゲンが補われ、新たなコラーゲンの生成が促進される。
【０００４】
数多くのコラーゲンベースのフェイスマスクが市販されており、家庭用のものも購入することが可能である。典型として、既知のコラーゲンベースのフェイスマスクは、クリーム状、またはコラーゲンベースの生成物に浸されたシート状で包装されている。
【０００５】
典型として、クリーム状のコラーゲンベースのフェイスマスクは、太いチューブまたは大きい瓶に入った状態で販売されており、手で皮膚に塗り広げるようになっている。このような既知のクリーム状のコラーゲンベースのフェイスマスクの欠点は、皮膚に塗り広げるクリームの適切な用量を取り出すことが困難な点である。そのため、誤って多量のクリームを塗布してしまい、ベタベタした感触が皮膚に残ることで、一般的に不快感を覚えることがある。また、手を使ってクリームを皮膚に塗布する点や、チューブが正しく締められていなかったりする点を踏まえると、そのようなクリーム状のフェイスマスクを皮膚に塗布する行為は非衛生的とも捉えられる。その結果、皮膚の炎症、発疹および皮膚に対するその他の刺激症状等が発症した場合、製造者はイメージを損ない、経済的損害を被りかねない。
【０００６】
シート状のコラーゲンベースのフェイスマスクは、一定量のコラーゲンに浸されたシートを備える。通常、このようなシートは、シート毎に包装されている。使用時には、シートを包装体から取り出し、顔に装着した状態で一定の時間の間放置する。シートは顔にぴったりとフィットするように予め裁断されており、かつ、口、目および鼻腔に対する開口部を有する。このようなシート状のコラーゲンベースのフェイスマスクは、シート毎に包装されているため前述した非衛生的な問題は起きないものの、既にコラーゲンに浸されているので、時間が経過するにつれてコラーゲンのアンチエイジング効果が失われるという欠点がある。つまり、シート状のコラーゲンベースのフェイスマスクの消費期限は短い。
【考案の概要】
【考案が解決しようとする課題】
【０００７】
そのため、従来技術のフェイスマスクが持つ上記欠点を克服するのに適した、フェイスマスク用の包装体が望まれる。
【０００８】
したがって、本考案の主な課題は、フェイスマスクの構成部分を別々に収容し、顔に使用する際に、そのまま当該構成部分同士を接触させ、皮膚への望まない炎症を避けることに適した、フェイスマスク用の包装体を提供することである。
【０００９】
本考案の他の課題は、使用が容易で、かつ品質保持期間が比較的長い、フェイスマスク用の包装体を提供することである。
【課題を解決するための手段】
【００１０】
上記の課題・目的を踏まえて、本考案は、添付の実用新案登録請求の範囲の請求項１に記載されたフェイスマスク用の包装体に関する。
【００１１】
具体的には、本考案は、蓋でシールされた収容容器を備えるフェイスマスク用の包装体に関する。前記収容容器は、活性化用の液体を含む第一区画室および吸収体を含む第二区画室を有する。前記収容容器は、さらに、包装体の開封前に前記第一区画室と前記第二区画室との間を連通させることで前記活性化用の液体が前記吸収体に注がれるように作動させる作動手段を有する。
【００１２】
好ましくは、前記活性用の液体はコラーゲン活性化用の液体であり、前記吸収体はコラーゲンベースの吸収体である。
【００１３】
好ましくは、前記作動手段は、前記第一区画室と前記第二区画室との間に設けられた、前記収容容器に対する前記蓋における破断可能なシール部を含む。
【００１４】
好ましくは、前記蓋は、包装体の周縁に設けられた比較的強力なシール部によって前記収容容器にシールされている。
【００１５】
好ましくは、前記作動手段は、前記第一区画室と前記第二区画室との間の脆弱な壁部材を含む。
【００１６】
好ましくは、前記脆弱な壁部材は、前記収容容器の材料と異なる材料からなる。より好ましくは、前記脆弱な壁部材は、前記収容容器の材料と同じ材料からなり、かつ、前記収容容器よりも薄肉である。
【００１７】
好ましくは、前記蓋に、包装体の開封を容易に行うのに適した開封突片が設けられている。
【００１８】
好ましくは、前記収容容器はプラスチック材料の型成形体からなり、前記蓋はプラスチック材料のフィルムからなる。
【００１９】
好ましくは、前記コラーゲン活性化用の液体は、保湿剤、抗老化剤およびこれらの組合せから選択される活性剤を含む液体である。
【００２０】
好ましくは、前記コラーゲンベースの吸収体はパウダー状である。より好ましくは、前記コラーゲンベースの吸収体は、凍結乾燥コラーゲンの層が設けられた、布帛材料のシート状である。
【００２１】
本考案のさらなる特徴および利点は、添付の図面を参照しながら行う以下の説明から明らかになる。
【図面の簡単な説明】
【００２２】
【図１】本考案にかかるフェイスマスク用の包装体を示す概略平面図である。
【図２】図１の包装体を示す側面図である。
【考案を実施するための形態】
【００２３】
以下の説明および図面では、コラーゲンフェイスマスク用の包装体を取り扱う。しかしながら、本考案にかかる包装体は、あらゆる種類の美容フェイスマスク又は皮膚医療フェイスマスクの保存や調剤に利用することができる。
【００２４】
図面は、本考案にかかるフェイスマスク用の包装体を概略的に示したものである。
【００２５】
このような包装体の全体を、概して符号１００で示す。包装体１００は、蓋３０でシールされた収容容器２０を備える。詳細には、収容容器２０は、第一区画室２２および第二区画室２４を有しており、好ましくは、プラスチック材料の型成形体からなる。第一区画室２２は一定量のコラーゲン活性化用の液体２１を収容し、第二区画室２４はコラーゲンベースの吸収体２３を収容する。包装体１００は、さらに、第一区画室２２と第二区画室２４との間が連通するように作動させる作動手段３２を備える。これについては後で詳述する。
【００２６】
好ましくは、コラーゲン活性化用の液体は、保湿剤、抗老化剤およびこれらの組合せから選択される活性剤を含む液体である。好ましくは、コラーゲンベースの吸収体は、パウダーまたは布帛マスクからなる。
【００２７】
コラーゲンベースの吸収体２３が布帛マスクの形態である場合を考える。この場合、コラーゲンベースの吸収体２３は、凍結乾燥コラーゲンの層が設けられた、布帛材料のシートとする。好ましくは、布帛マスク２３は、使用者の顔にぴったりフィットするように予め適切に裁断されており、かつ、開口部（図示せず）を有する。開口部は、顔における口、目および鼻の部位を露出させることにより、顔輪郭に対する布帛マスクのフィット性を最適にする。好ましくは、布帛マスク２３は、折り畳まれた状態で第二区画室２４内に収容されている。
【００２８】
好ましくは、蓋は、収容容器２０に熱溶着されたフィルム３０（例えば、プラスチック材料からなるフィルム等）であり、包装体１００の周縁に比較的強力なシール部３１、および第一区画室２２と第二区画室２４との間の位置に破断可能なシール部３２を有しており、その破断可能なシール部３２が包装体１００の作動手段として形成している。このシール部３２が「破断可能」と称されるのは、所定の圧縮力を第一区画室２２に加えると、コラーゲン活性化用の液体２１が当該シール部３２を押圧し、この押圧で生じる液圧で当該シール部３２が開封または破断するからである。当然ながら、収容本体２０と蓋３０とをシールする方法には、第一区画室２２と第二区画室２４との間の位置に破断可能なシール部を設けることを前提条件として、高周波シール、超音波シール、接着剤等の方法を用いてよい。このようなシールおよびシールを形成する方法は、当業者にとって周知である。
【００２９】
好ましくは、蓋３０に、包装体１００の開封を容易に行うのに適した開封突片３３が設けられている。
【００３０】
上記のようなコラーゲンベースのフェイスマスクを使用したい場合、使用者は、両親指を蓋３０に当てることで包装体１００の第一区画室２２を圧縮する。圧縮により、コラーゲン活性化用の液体２１が破断可能なシール部３２に押し付けられ、当該シール部３２を破断し、第一区画室２２と第二区画室２４との間を液体連通状態にする。
【００３１】
これにより、第一区画室２２に予め収容されていた一定量のコラーゲン活性化用の液体２１が包装体１００の第二区画室２４に流入し、コラーゲンベースの吸収体２３と接触する。
【００３２】
この後、使用者が包装体１００を振ることにより、コラーゲンベースの吸収体２３がコラーゲン活性化用の液体２１をより良好に吸収する。
【００３３】
上記のとおりコラーゲンベースの吸収体２３が布帛マスクの形態である場合、布帛マスクに存在する凍結乾燥コラーゲンが、一定量のコラーゲン活性化用の液体２１に浸されて、これにより活性化される。
【００３４】
この後、使用者は、（好ましくは、開封突片３３をつかんで）蓋３０を収容容器２０から取り外すことによって包装体１００を開封する。次に、第一区画室２２および第二区画室２４が開封されるため、使用者は、浸された状態の布帛マスクを第二区画室２４から取り出し、当該マスクを展開し、これを自分の顔に一定の時間の間（好ましくは、約２０分ないし約３０分）放置する。
【００３５】
具体的に、使用者は、コラーゲンの層が皮膚に触れるように布帛マスク２３を顔に装着し、皮膚とマスク２３との接触が最適になるように皮膚を軽く押す。布帛マスク２３には開口部が形成されているので、布帛マスク２３を使用する際に、刺激に敏感な目および唇の部位にコラーゲンが接触しないように特別注意する必要がない。すなわち、この布帛マスクは使用が容易であり、かつ、使用時に特別注意を払う必要もない。
【００３６】
他方で、コラーゲンベースの吸収体２３がパウダーの形態である場合、パウダーは、コラーゲン活性化用の液体に溶解することで、塗り広げるのに適したペーストとなる。これにより、使用者は、包装体１００の開封後、そのペーストを自分の顔に塗り広げることができる。
【００３７】
変形例として、包装体１００の作動手段は、第一区画室２２と第二区画室２４との間の脆弱な壁部材（図示せず）を含むものであってもよい。この場合、脆弱な壁部材は、収容容器２０と蓋３０との間のシールよりも低い液圧で破断または破壊を有する材料からなる。例えば、脆弱な壁部材は、収容容器２０の材料と同じ材料の薄肉部によって形成されたものでもよいし、それとは異なる材料からなるものであってもよい。
【００３８】
上記のようなコラーゲンフェイスマスクを使用したい場合、使用者は、両親指を蓋３０に当てることで包装体１００の第一区画室２２を圧縮する。圧縮により、コラーゲン活性化用の液体２１が脆弱な壁部材に押圧されて当該壁部材を破断し、コラーゲン活性化用の液体２１が包装体１００の第二区画室２４に注入される。これにより、容易に塗り広げることのできるコラーゲンベースのペーストが得られる。この後、使用者は、包装体１００を開封し、上記のようにして得られたペーストを自分の顔に塗り広げて、当該ペーストを一定の時間の間（好ましくは、約２０分ないし約３０分）放置する。
【００３９】
上記の説明から分かるように、本考案にかかるコラーゲンベースのフェイスマスク用の包装体は、小型で、衛生的で、使用が容易であり、かつ、品質保持期間が長い。
【符号の説明】
【００４０】
２０      収容容器
２１      活性化用の液体
２２      収容容器の第一区画室
２３      吸収体
２４      収容容器の第二区画室
３０      蓋
３２      作動手段（破断可能なシール部）
１００    包装体
【図１】
0003183351.tif 000003
【図２】
0003183351.tif 000004